(57)【特許請求の範囲】
【請求項１】
パットの練習方法であって、プレーで使用するパターのパターヘッドに存在するスイートスポットや、スイートスポット以外の複数の打点に、プレーヤーが、1個のセンサーを、着脱自在に、任意に取り付けて、その出力を、コードを介して取り出して、ゴルフボールがプレ−ヤーの意図する打点に、正確に当った時のみ、前記出力を、光、擬音、数値等に変換して表示器、スピーカー、ランプ等の報知装置によって、プレーヤーに知らせるようにしたことを特徴とするパットの練習方法。  
【発明の詳細な説明】
【技術分野】
【０００１】
本発明は、ゴルフのパターに取り付けることで、パット技術を向上し、練習を効果的にすることができるパットの練習方法に関するものである。
【背景技術】
【０００２】
近年、ゴルフは大衆化され、ゴルフ練習場も増えて練習には事欠かない、しかし
パターの練習場は少なく、一般のプレーヤーは自宅の絨毯、あるいは、パット練習用の人工芝等を使い練習している。絨毯の上でボールを転がす、勿論そこには，芝目も無ければ、傾斜も無いため、ボールは意図した方向に転がるはずである、ところがそうはいかない、必ずと、言って良いほど曲がる、之はなぜだろうか、それはパッテイングという動作が意識では十分左右できるものでなく、単なる条件反射であるからだ。意識で左右できるものなら、特別な練習は必要としない。正しいフォームで打ちさえすれば十分である。
【０００３】
然し条件反射となると大変である、反復練習をしておかないと直にだめになる。そこで、芝目も傾斜も無いところで、十分に条件反射を強化させ,何時でもボールを意図する打点で打てるように訓練することが大切である。この訓練を繰り返すことで、筋肉の条件反射を強化して、パットの技術を向上することが出来る。  パットの上手くなる練習方法である。
【０００４】
パットの練習方法、パター練習器に関する先行技術を調べてみると、パターヘッドの内部に打点を確認する機構を内蔵するものであり、パターそのものに、報知装置、音声発生回路、電池等、を全て取り付けてあるため、実際のプレーで使用する事が出来ない。そのため、練習用パターとプレー用のパターの重量配分やデザインなど様々な点で大きな相違がうまれ、練習の効果が出ない、無論、筋肉の条件反射を強化するための練習用としては適さない。
（たとえば、特許文献１、参照）
【０００５】
又パターヘッドそのもの、上記打点確認機構を内蔵している場合、例えば、複数の打点を意図的に使い分けることが出来るようになるための練習を所望する上級者にとっては、練習方法としては、不十分である。
先行技術の目的とするところは、ボールがパターヘッドに当った後を追いかけている。それ以前に問題があることは上記の通りだが、この事に、多くのゴルファーは気が付いていない。  ここに問題がひとつあります。パターの意図する打点にボールが正確に当ったかどうかは、目視では、確認することは出来ない。ボールが当った後、真っ直ぐに転がれば、意図する打点に当ったものと判断しているのが現状である。
【０００６】
さらに、ゴルフボールを、カップインさせるために重要なことは、ボールが、パターヘッドに当たる瞬間を意図する打点で正確に当てることに加えて、カップまでボールを届かせる、と言うことである。つまり、打球の強さ、即ち距離感である。  正確に、意図した打点でボールを当て、方向性は確保されても、その強さ、  距離感の違いによって、カップインできない場合も有る。即ち、アマチュアーの良く経験する、「届かない」「行き過ぎた」である。練習では、距離感も重要で、距離感を強化することは、練習方法として重要である。
【０００７】
上記のような問題点に鑑み  、パターヘッド部のフェース面に両面粘着テープ
等によって、打点検出センサーを着脱可能にしたものや、更に打球の強さを確認するための衝撃検出機能を兼ね備えたものも提案されているが、この場合センサーが直接ボールと接触するため、センサーの故障、劣化の課題があり、訓練を繰り返して、上手くなるための練習方法としては、不十分である。
又、それらは、プレーで使用するパターとは別のパターへの装着で、実際のプレーとの感覚に、今ひとつ違いがあり、練習としては物足りない。
（例えば、特許文献２、及び３参照）
【０００８】
又、両面接着テープ等によって、打点検出用センサーを着脱自在に取り付け可能とした場合、その取り付け位置が練習方法として重要となるが、その位置を練習中に変更したい場合や、プレー前の練習とプレー後の練習で、練習の間に打点検出用センサーを着脱する場合、意図する打点に再び正確に合わせることが、容易でないと言う課題もある。
【先行技術文献】
【特許文献】
【０００９】
【特許文献１】特開平８−１３１５９９号  公報
【特許文献２】公開実用新案公報昭６０−１６８８５８号公報
【特許文献３】特開２００４−８１４０７号  公報
【発明の概要】
【発明が解決しようとする課題】
【００１０】
上記の通り、パッティングの練習で一番大切なことは、パターの意図する打点で、ボールを確りと打つこと、更に、打球の強さの感覚を、即ち、距離感を条件反射として筋肉に覚えさせそれを強化すること、その様な練習を繰り返すことが重要である。そのため、プレー用のパターそのものを使用して、意図する打点に正確にボールが当ったことが確認が出来、又、打つたボールの転がりの強さを知ることができ、更に繰り返しの練習に使用することが出来、着脱を繰り返しても、意図する打点に正確に打点検出用センサーを取り付けることのできるパットの練習方法の提供を課題とする。
【課題を解決するための手段】
【００１１】
問題を解決するために本発明が採用した課題解決の技術手段は、プレーで使用するパターのパターヘッドに存在するスイートスポットや、スイートスポット以外の複数の打点に、プレーヤーが、1個のセンサーを、着脱自在に、任意に取り付けて、その出力を、コードを介して取り出して、ゴルフボールがプレ−ヤーの意図する打点に、正確に当った時のみ、前記出力を、光、擬音、数値等に変換して表示器、スピーカー、ランプ等の報知装置によって、プレーヤーに知らせるようにしたパットの練習方法を提供するものである。
【発明の効果】
【００１２】
パターヘッドの意図する打点にボールが正確に当たったことが確認でき、その練習を繰り返すことで、筋肉に条件反射を反復させ強化できる。
ボールを打った強さの程度を知ることで距離感を、筋肉に覚えさせることが出来る。更に、意図する打点にボールが正確に当ったことを確認するための表示器のランプ等を目視することは、ヘッドアップ防止にも繋がる。更に、プレー用のパター自体に着脱自在に取り付けられるので、練習の成果をそのまま、プレーに反映できる。
【図面の簡単な説明】
【００１３】
【図１】本発明のパットの練習方法の概略構成図
【図２】本発明の実施例で、センサーを取り付けた状態図
【図３】本発明の他の実施例の使用状態図
【図４】センサー取り付け用位置目印付き粘着テープ。
【図５】目印付き保護部材
【図６】実施例３の表示器取り付け状態図。
【発明を実施するための形態】
【００１４】
以下本発明の実施の形態を図１〜図６  に基づいて説明する。
図１は、本発明のパットの練習方法の概略構成図  である。
センサー１は、粘着テープ３によって、パターヘッド２に取り付けられている、センサー１、からの出力を取り込むためのコード４は、パターシャフト５に、粘着テープ６、でとめられて、報知装置７、に接続されている。報知装置７、の内部にはスピーカー、表示器、変換器、ランプ等が装備されている。
パターヘッドの上面には、一般に、ヘッドの打点面に存在するスイートスポットの縦の位置を示す、サイトライン８が示されている。浅い溝が彫られているもの等、
各種、市販されている。
【００１５】
パットの方向性は、パターヘッドにボールが当った瞬間で殆ど決まる。
意図する打点に正確にボールが当り、確りとストロークすれば、少なくともラインを保つので、カップインのチャンスは大きい。だが、正確に当っても距離が足りなければ、カップインは無い。距離感を鍛えることが重要である。本発明では、意図する打点に正確にボールが当ったか否かを表示、更に、打球の強さを段階的に表示し、条件反射で筋肉にその感覚を覚えさせる様なパットの練習方法として創案した。
【００１６】
本発明のパット練習方法では各種、センサーを利用することでその瞬間を確認できるようにした、即ち、意図する打点に取り付けられたセンサーにボールが当った瞬間、センサーの出力は、増幅変換されて表示器に転送、光等によってプレーヤーに知らせることが出来る。
【００１７】
パターは、ヘッド部分の重量配分やデザインによって、様々な種類があるため、
プレーで使用のパターに取り付けることが重要である。
センサーの取り付けは、着脱自在で、簡単に取り付け、取り外しが出来るようになっている、薄型のセンサー部分を直接ヘッドの打点面に、粘着テープ、両面粘着テープ等を使用して貼り付ける場合と、図２の様に、別途カバー形式としてセンサーを衝撃から保護する部材で被覆してパターヘッドに装着するように構成することも出来る。
【００１８】
粘着テープ等によって、打点検出用センサーを着脱自在に取り付け可能とした場合、その取り付け位置が練習方法として重要となるが、その位置を練習中に変更したい場合や、プレー前の練習とプレー後の練習で、練習の間に打点検出用センサーを着脱する場合、意図する打点に再び正確に合わせることが、容易でないため、図４、図５、の如く、取り付け部材、保護部材としては、取り付けの位置の目安となる目印を表示されたものを使用するようにしたのである。
センサー部分のみの取り付けなので、重量的にはパターの重量に大きな変化は無い。
【００１９】
センサーの種類には、圧力センサー、ストレンゲージ、電磁コイル、マグネット等、有るので、意図する打点にボールが、正確に当った事を、確認するだけでなくて、衝撃の強さを数値として表して、ボールを打った強さを確認できるように、又、意図する打点から外れた場合、インサイドに外れたか、アウトサイドに外れたか、等を表示できるよう、これらのセンサーを、単独、或いは、組み合わせて、色々な情報を、プレーヤーに知らせられるように、状況に応じた選択をすればよい。
【００２０】
報知装置は邪魔にならない任意の処に置けばよい。ボールからの距離が出来るだけ短く置く事が良いのはいうまでも無く、又、打球面の延長正面に置くことで、ヘットアップの防止にも繋がる。図３は、その状態を示している。
又、意図する打点にボールが当った事を確認するだけの場合は、図６の様に、小型の表示器１２をパターのシャフトの付け根部分に装着する事も可能である。
【００２１】
上記、パットの練習方法によって、練習することで、筋肉の条件反射が強化できる。
プレー当日は、練習グリーンで、使用することで、打球の強さの数値から、芝目の強さ、グリーンの速さも確認でき、練習時の数値との対比で、距離感の参考になる。
プレー時には、センサーを取り外せばよい。
【００２２】
上記、意図する打点は、アマチュアーの場合は、スイートスポットを、その点とするのが、一般的である。上記サイトライン８に合わせて、取り付け位置の目安となる目印の表示された取り付け部材で取り付けるのが良い。即ち、目印表示ライン９を利用して合わせることが出来る。目印表示ライン１０、は横位置の目安で、此れに関しては。各人が、事前にパターヘットに目印を表示して置き、それに合わせればよい。
【００２３】
一方、複数の打点を意図的に使い分けることが出来るようになるための練習を所望する上級者にとっては、意図する打点での練習ができる。
意図する打点にボールが正確に当ったか否かは、たとえ上級者でも、目視では、確認することは出来ない。
【実施例１】
【００２４】
図２は、本発明のパットの練習方法で、センサー１、をパターヘッド２、のスイートスポットの地点に、粘着テープ３、で取り付け、保護部材１３でカバー、した状態を示している。センサー１、は、圧力センサー、加えられた圧力によって、抵抗値が変化する、その変化を電流に変換して、報知装置によって擬音を発生させ、意図する打点（この場合はスイートスポット）にボールが正確に当ったことを、プレーヤーに知らせることが出来る。圧力センサーは、「ＦＳＲ−４００」（登録商標）を使用している。
【実施例２】
【００２５】
図３  は、本発明のパットの練習方法でボールを打った際の強さを、報知装置１１の表示器に数値で表示している使用状態図である。自宅、絨毯の上での練習時の数値と練習グリーンでの数値を比較することで、当日の本グリーンでのボールを打つ強さに対しての参考になる。
【実施例３】
【００２６】
図６は、意図する打点にボールが当った事を確認するだけの実施例で、LED
のランプによる小型の表示器１２をパターのシャフトの根元部分に取り付けたもので、より簡単な、練習ができる。
【符号の説明】
【００２７】
１  センサー
２  パターヘッド
３  粘着テープ
４  コード
５  シャフト
６  粘着テープ
７  報知装置（擬似音）
８  サイトライン
９  目印表示ライン（縦）
１０  目印表示ライン（横）
１１  報知装置（デジタル表示）
１２  表示器、（ランプ）
１３  保護部材
【要約】      （修正有）【課題】プレー用パターを使用して、意図する打点に正確にボールが当たったことや、打ったボールの転がりの強さがどの程度なのかを簡単に確認することができる、パットの練習方法を提供する。【解決手段】プレー用パターのパターヘッドに存在するスイートスポットや、スイートスポット以外の複数の打点に、プレーヤーがセンサーを、着脱自在かつ任意に取り付ける。センサーの出力をコードを介して取り出し、ゴルフボールがプレーヤーの意図する打点に、正確に当たった時のみ、前記出力を光、擬音、数値等に変換して、表示器、スピーカー、ランプ等の報知装置によってプレーヤーに知らせる。【選択図】図１【図１】
0005099799.tif 000002
【図２】
0005099799.tif 000003
【図３】
0005099799.tif 000004
【図４】
0005099799.tif 000005
【図５】
0005099799.tif 000006
【図６】
0005099799.tif 000007